(57)【要約】【課題】可読性を向上させることができるようにする。【解決手段】ドットマトリクス状に配列された複数のＬＥＤモジュール２ａ，２ｂのうち、スクロール方向である横方向に隣接するＬＥＤモジュール２ａとＬＥＤモジュール２ｂとは、縦方向に隣接するＬＥＤモジュール２ａ同士の間や縦方向に隣接するＬＥＤモジュール２ｂ同士の間に形成されたブランク３ａが横方向に不連続となるように配列されている。【選択図】図１
2008298963.tif 000002
【特許請求の範囲】
【請求項１】
特定の方向にスクロール表示を行う表示装置であって、
それぞれが発光手段を内蔵し、ドットマトリクス状に配列された複数の発光モジュールを有し、
前記特定の方向に直交する方向に隣接する前記発光モジュール同士の間には、所定幅のブランクが形成されているとともに、
前記特定の方向に隣接する前記発光モジュール同士は、前記ブランクが前記特定の方向に不連続となるように配列されていることを特徴とする表示装置。
【請求項２】
前記発光モジュールの発光面が矩形であることを特徴とする請求項１に記載の表示装置。
【請求項３】
前記特定の方向に隣接する前記発光モジュール同士の間隔が、所定の間隔以下であることを特徴とする請求項１又は２に記載の表示装置。
【発明の詳細な説明】
【技術分野】
【０００１】
本発明は、ドットマトリクス状に配列された複数の発光モジュールを有する表示装置に関する。
【背景技術】
【０００２】
従来、電光掲示板等の表示装置においては、ＬＥＤチップ等の発光手段を内蔵した単色あるいは複数色の発光モジュールがドットマトリクス状に複数配置されて、個別に発光されることにより、文字等が表示される。
【０００３】
特許文献１には、Ｒ，Ｇ，Ｂからなる３色のＬＥＤチップを含んだＬＥＤ素子を１ドットとするドットマトリクス状の発光ダイオード表示装置であって、隣接するＬＥＤ素子同士で、同色のＬＥＤチップを１８０度未満の回転角度で変位した位置関係とすることによって、発光ダイオード表示装置を見る方向によって発光色のバランスが異なることがなく、また、単色発光時にスクロール表示に揺れが生じない発光ダイオード表示装置が開示されている。
【０００４】
【特許文献１】特開平８−３０２１３号公報
【発明の開示】
【発明が解決しようとする課題】
【０００５】
ところで、複数の発光モジュールがドットマトリクス状に等間隔で配置されていると、例えば横方向にスクロール表示を行った場合に、目の錯覚によって、横方向に隣接する発光した発光モジュール同士が隙間なく繋がって見えるが、縦方向に隣接する発光した発光モジュール同士の隙間が目立ち、黒い線が横方向に入っているように見えて、可読性が悪い。そこで、可読性が向上されることが望まれる。
【０００６】
本発明の目的は、可読性を向上させることが可能な表示装置を提供することである。
【課題を解決するための手段及び効果】
【０００７】
本発明の表示装置は、特定の方向にスクロール表示を行う表示装置であって、それぞれが発光手段を内蔵し、ドットマトリクス状に配列された複数の発光モジュールを有し、前記特定の方向に直交する方向に隣接する前記発光モジュール同士の間には、所定幅のブランクが形成されているとともに、前記特定の方向に隣接する前記発光モジュール同士は、前記ブランクが前記特定の方向に不連続となるように配列されていることを特徴とする。
【０００８】
上記の構成によれば、ドットマトリクス状に配列された複数の発光モジュールのうち、スクロール方向である特定の方向に隣接する発光モジュール同士は、スクロール方向に直交する方向に隣接する発光モジュール同士の間に形成されたブランクがスクロール方向に不連続となるように配列されているから、スクロール表示を行った場合に、目の錯覚によって、スクロール方向に隣接する発光した発光モジュール同士が繋がって見えるのみならず、スクロール方向に直交する方向に隣接する発光した発光モジュール同士が繋がって見える場合がある。よって、可読性を向上させることができる。
【０００９】
また、本発明の表示装置において、前記発光モジュールの発光面が矩形であってよい。上記の構成によれば、発光モジュールの発光面が矩形であるため、スクロール表示を行った際に、目の錯覚によって、スクロール方向に直交する方向に隣接する発光した発光モジュール同士が繋がって見える度合を高めることができる場合がある。
【００１０】
また、本発明の表示装置において、前記特定の方向に隣接する前記発光モジュール同士の間隔が、所定の間隔以下であってよい。上記の構成によれば、スクロール方向に隣接する発光モジュール同士の間隔を所定の間隔以下とすることによって、スクロール表示を行った際に、目の錯覚に寄与する残像をスクロール方向に好適に生じさせることができる場合があるから、スクロール方向に直交する方向に隣接する発光した発光モジュール同士が繋がって見える度合を高めることができる場合がある。
【発明を実施するための最良の形態】
【００１１】
本発明の実施の形態を図１ないし図４に基づいて以下に説明する。
【００１２】
（表示装置１の機械的構成）
図１は、表示装置１の外観を示している。本実施の形態にかかる表示装置１は、所謂『電光掲示板』であり、ドットマトリクス状に配列された複数のＬＥＤモジュール２ａ，２ｂを発光モジュールとして有し、これらを個別に発光・消光させることによって、横方向にスクロール表示を行うように構成されている。なお、表示装置１は、縦方向にスクロール表示を行うことも可能である。
【００１３】
ドットマトリクスは、縦方向に５個配列されたＬＥＤモジュール２ａの列４と、縦方向に５個配列されたＬＥＤモジュール２ｂの列５とが、スクロール方向である横方向に交互に複数配列されることによって、形成されている。
【００１４】
ＬＥＤモジュール２ａとＬＥＤモジュール２ｂとは、ともに表示面が正方形である。ＬＥＤモジュール２ａの各々には、発光手段としてのＬＥＤランプ１２ａが内蔵されている（図示せず）。また、ＬＥＤモジュール２ｂの各々には、発光手段としてのＬＥＤランプ１２ｂが内蔵されている（図示せず）。ここで、ＬＥＤランプ１２ａとＬＥＤランプ１２ｂとは、同等のものであって、性能上の差異はない。従って、ＬＥＤモジュール２ａとＬＥＤモジュール２ｂとは同等のものであって、性能上の差異はない。ＬＥＤランプ１２ａ，１２ｂが発光・消光されることによって、ＬＥＤモジュール２ａ，２ｂが発光・消光される。
【００１５】
縦方向に隣接するＬＥＤモジュール２ａ同士の間には、所定幅のブランク３ａが形成されている。また、縦方向に隣接するＬＥＤモジュール２ｂ同士の間にも同様に、所定幅のブランク３ａが形成されている。ここで、ブランク３ａの縦幅である所定幅は、ＬＥＤモジュール２ａ，２ｂの表示面の縦幅よりも狭く設定されている。本実施の形態において、ブランク３ａの縦幅である所定幅は、ＬＥＤモジュール２ａ，２ｂの表示面の縦幅（横幅）の３分の１に設定されている。
【００１６】
また、横方向に隣接するＬＥＤモジュール２ａの列４とＬＥＤモジュール２ｂの列５との間には、所定の間隔としてのブランク３ｂが形成されている。このブランク３ｂの横幅は、ＬＥＤモジュール２ａ，２ｂの表示面の横幅よりも狭く設定されている。本実施の形態において、ブランク３ｂの横幅は、ブランク３ａの縦幅である所定幅に設定されている。これにより、ＬＥＤモジュール２ａの列４とＬＥＤモジュール２ｂの列５との間隔は、ＬＥＤモジュール２ａ，２ｂの表示面の横幅（縦幅）の３分の１に設定されている。
【００１７】
ここで、ＬＥＤモジュール２ｂは、横方向に隣接するＬＥＤモジュール２ａに対して上方向に変位した位置に設けられている。具体的には、ＬＥＤモジュール２ｂは、横方向に隣接するＬＥＤモジュール２ａよりも、ブランク３ａの所定幅だけ上方向に変位した位置に設けられている。これにより、Ａ−Ａ線上に見て、ブランク３ａが横方向に不連続となるようにされている。
【００１８】
なお、図１においては、「山」という漢字を成すように、ＬＥＤモジュール２ａ，２ｂが発光・消光されている。
【００１９】
図２は、表示装置１が左方向にスクロール表示を行った際に、人間の目に映る表示状態を示している。「山」という表示が左方向にスクロール表示された場合、人間の目には、錯覚によって、各ＬＥＤモジュール２ａ，２ｂの右側のブランク３ｂ上に残像１１が見える。
【００２０】
この残像１１によって、人間の目には、横方向に隣接する発光したＬＥＤモジュール２ａと発光したＬＥＤモジュール２ｂとが繋がっているように見える。これにより、横方向に連続して発光している５個のＬＥＤモジュール２ａ，２ｂが、１本の線のように見えている。
【００２１】
特に、横方向に連続して発光している５個のＬＥＤモジュール２ａ，２ｂにおいては、目の錯覚によって、ブランク３ａ上に残像１２や残像１３が見える。残像１２，１３によって、横方向に連続して発光している５個のＬＥＤモジュール２ａ，２ｂが、更にはっきりと、１本の線のように見えている。
【００２２】
また、Ａ−Ａ線におけるブランク３ａ上の残像１３によって、縦方向に隣接する発光したＬＥＤモジュール２ａ同士が繋がっているように見えている。ＬＥＤモジュール２ｂの場合も同様である。
【００２３】
このように、ドットマトリクス状に配列された複数のＬＥＤモジュール２ａ，２ｂのうち、横方向に隣接するＬＥＤモジュール２ａとＬＥＤモジュール２ｂとは、縦方向に隣接するＬＥＤモジュール２ａ同士の間や、縦方向に隣接するＬＥＤモジュール２ｂ同士の間に形成されたブランク３ａが横方向に不連続となるように配列されているから、横方向にスクロール表示を行った場合に、目の錯覚によって、横方向に隣接する発光したＬＥＤモジュール２ａと発光したＬＥＤモジュール２ｂとが繋がって見えるのみならず、縦方向に隣接する発光したＬＥＤモジュール２ａ同士や、縦方向に隣接する発光したＬＥＤモジュール２ｂ同士が繋がって見える場合がある。よって、可読性を向上させることができる。
【００２４】
また、ＬＥＤモジュール２ａ，２ｂの発光面が正方形であるため、横方向にスクロール表示を行った際に、目の錯覚によって、縦方向に隣接する発光したＬＥＤモジュール２ａ同士や、縦方向に隣接する発光したＬＥＤモジュール２ｂ同士が繋がって見える度合を高めることができる場合がある。
【００２５】
更に、横方向に隣接するＬＥＤモジュール２ａとＬＥＤモジュール２ｂとの間隔を、ＬＥＤモジュール２ａ，２ｂの表示面の横幅（縦幅）の３分の１にすることによって、横方向にスクロール表示を行った際に、目の錯覚に寄与する残像を横方向に好適に生じさせることができる場合があるから、縦方向に隣接する発光したＬＥＤモジュール２ａ同士や、縦方向に隣接する発光したＬＥＤモジュール２ｂ同士が繋がって見える度合を高めることができる場合がある。
【００２６】
（表示装置１の電気的構成）
上記のように構成された表示装置１は、図３に示すように、制御回路２１により動作が制御されている。図３に示す制御回路２１は、回路基板上に配置されたマイクロコンピュータ２２を主たる構成要素とし、これに各ＬＥＤランプ１２ａ，１２ｂを発光・消光させるためのＬＥＤ駆動回路２６等を加えて構成されている。マイクロコンピュータ２２は、予め設定されたプログラムに従って制御動作を行うＣＰＵ２３と、記憶手段であるＲＯＭ２４及びＲＡＭ２５を有している。
【００２７】
ＣＰＵ２３には、各ＬＥＤランプ１２ａ，１２ｂを発光・消光させるためのＬＥＤ駆動回路２６と、コンピュータ１００からデータを受信する通信部２７とが接続されている。通信部２７は、コンピュータ１００から、スクロール表示の表示内容（例えば、「山」）に係るデータを受信する。ＣＰＵ２３は、通信部２７が受信したデータに基づいて、ＬＥＤ駆動回路２６を駆動させることにより、各ＬＥＤランプ１２ａ，１２ｂを発光・消光させて、スクロール表示を行う。
【００２８】
制御回路２１のＲＡＭ２５には、通信部２７が受信したデータが一時的に格納される。一方、制御回路２１のＲＯＭ２４には、後述の表示処理ルーチン等、ＬＥＤ駆動回路２６を駆動させるためのプログラム等が格納されている。
【００２９】
（表示装置１の動作）
上記の構成において、図４に示す表示処理ルーチンを参照して、表示装置１の制御回路２１のＣＰＵ２３の制御動作について説明する。
【００３０】
（制御回路２１の動作:表示処理ルーチン）
先ず、電源が投入されると、表示装置１は、コンピュータ１００から表示内容に係るデータを受信する。そして、図４に示す表示処理ルーチンを、ＬＥＤランプ１２ａ，１２ｂ毎に個別に実行する。
【００３１】
制御回路２１により表示処理ルーチンが実行されると、図４に示すように、初めに、ＣＰＵ２３は、「ｎ」を“１”に設定する（Ａ１）。次に、ｎ番目のデータをＲＡＭ２５から取得する（Ａ２）。そして、取得したデータに基づいて、ＬＥＤランプ１２ａ，１２ｂを発光・消光させる（Ａ３）。その後、「ｎ」を「ｎ＋１」として（Ａ４）、Ａ２に戻ることによって、データを次々に更新しながら、ＬＥＤランプ１２ａ，１２ｂを発光・消光させていく。
【００３２】
以上の表示処理ルーチンがＬＥＤランプ１２ａ，１２ｂ毎に個別に実行されることによって、例えば左方向へのスクロール表示が実行される。
【００３３】
ここで、図２に示すように、「山」という字が左方向にスクロール表示された場合、各ＬＥＤモジュール２ａ，２ｂの右側のブランク３ｂ上に残像１１が生じる。また、横方向に連続して発光している５個のＬＥＤモジュール２ａ，２ｂにおいては、目の錯覚によって、ブランク３ａ上に残像１２や残像１３が見える。これにより、横方向に隣接する発光したＬＥＤモジュール２ａと発光したＬＥＤモジュール２ｂとが繋がっているように見える。また、ブランク３ａ上の残像１３によって、縦方向に隣接する発光したＬＥＤモジュール２ａ同士が繋がっているように見える。
【００３４】
このように、ドットマトリクス状に配列された複数のＬＥＤモジュール２ａ，２ｂのうち、横方向に隣接するＬＥＤモジュール２ａとＬＥＤモジュール２ｂとは、縦方向に隣接するＬＥＤモジュール２ａ同士の間や、縦方向に隣接するＬＥＤモジュール２ｂ同士の間に形成されたブランク３ａが横方向に不連続となるように配列されているから、横方向にスクロール表示を行った場合に、目の錯覚によって、横方向に隣接する発光したＬＥＤモジュール２ａと発光したＬＥＤモジュール２ｂとが繋がって見えるのみならず、縦方向に隣接する発光したＬＥＤモジュール２ａ同士や、縦方向に隣接する発光したＬＥＤモジュール２ｂ同士が繋がって見える場合がある。よって、可読性を向上させることができる。
【００３５】
また、ＬＥＤモジュール２ａ，２ｂの発光面が正方形であるため、横方向にスクロール表示を行った際に、目の錯覚によって、縦方向に隣接する発光したＬＥＤモジュール２ａ同士や、縦方向に隣接する発光したＬＥＤモジュール２ｂ同士が繋がって見える度合を高めることができる場合がある。
【００３６】
更に、横方向に隣接するＬＥＤモジュール２ａとＬＥＤモジュール２ｂとの間隔を、ＬＥＤモジュール２ａ，２ｂの表示面の横幅（縦幅）の３分の１にすることによって、横方向にスクロール表示を行った際に、目の錯覚に寄与する残像を横方向に好適に生じさせることができる場合があるから、縦方向に隣接する発光したＬＥＤモジュール２ａ同士や、縦方向に隣接する発光したＬＥＤモジュール２ｂ同士が繋がって見える度合を高めることができる場合がある。
【００３７】
（本実施の形態の概要）
以上のように、本実施の形態の表示装置１は、特定の方向にスクロール表示を行う表示装置１であって、それぞれが発光手段（ＬＥＤランプ１２ａ，１２ｂ等）を内蔵し、ドットマトリクス状に配列された複数の発光モジュール（ＬＥＤモジュール２ａ，２ｂ等）を有し、特定の方向に直交する方向に隣接する発光モジュール同士の間には、所定幅のブランク（ブランク３ａ等）が形成されているとともに、特定の方向に隣接する発光モジュール同士は、ブランクが特定の方向に不連続となるように配列されている構成にされている。
【００３８】
上記の構成によれば、ドットマトリクス状に配列された複数の発光モジュールのうち、スクロール方向である特定の方向に隣接する発光モジュール同士は、スクロール方向に直交する方向に隣接する発光モジュール同士の間に形成されたブランクがスクロール方向に不連続となるように配列されているから、スクロール表示を行った場合に、目の錯覚によって、スクロール方向に隣接する発光した発光モジュール同士が繋がって見えるのみならず、スクロール方向に直交する方向に隣接する発光した発光モジュール同士が繋がって見える場合がある。よって、可読性を向上させることができる。
【００３９】
また、本実施の形態の表示装置１において、発光モジュールの発光面が矩形（正方形等）である構成にされている。上記の構成によれば、発光モジュールの発光面が矩形であるため、スクロール表示を行った際に、目の錯覚によって、スクロール方向に直交する方向に隣接する発光した発光モジュール同士が繋がって見える度合を高めることができる場合がある。
【００４０】
また、本実施の形態の表示装置１において、特定の方向に隣接する発光モジュール同士の間隔が、所定の間隔以下である構成にされている。上記の構成によれば、スクロール方向に隣接する発光モジュール同士の間隔を所定の間隔以下とすることによって、スクロール表示を行った際に、目の錯覚に寄与する残像をスクロール方向に好適に生じさせることができる場合があるから、スクロール方向に直交する方向に隣接する発光した発光モジュール同士が繋がって見える度合を高めることができる場合がある。
【００４１】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４２】
例えば、本実施の形態において、ＬＥＤモジュール２ａ，２ｂの発光面が正方形にされた構成にされているが、この構成に限定されるものではなく、ＬＥＤモジュール２ａ，２ｂの発光面が長方形にされていてもよいし、矩形でなくてもよい。また、発光モジュールはＬＥＤモジュールに限定されるものではなく、発光手段はＬＥＤランプに限定されるものではない。
【図面の簡単な説明】
【００４３】
【図１】表示装置の説明図。
【図２】表示装置の表示状態を示す説明図。
【図３】表示装置の電気的構成を示すブロック図。
【図４】表示処理ルーチンのフローチャートを示す図。
【符号の説明】
【００４４】
１    表示装置
２ａ，２ｂ    ＬＥＤモジュール
３ａ    ブランク
１２ａ，１２ｂ    ＬＥＤランプ
【図１】
2008298963.tif 000003
【図２】
2008298963.tif 000004
【図３】
2008298963.tif 000005
【図４】
2008298963.tif 000006